(57)【特許請求の範囲】
【請求項１】
ロッドの一端側を施肥ノズルに連繋し、該ロッドは、所定部位に配設された固定部材に対して挿通かつ位置固定自在であり、該ロッドには荷重調節部材が長さ方向に移動かつ固定自在に設けてあり、該固定部材と該荷重調節部材との間にはスプリングが設けてあり、該固定部材からロッド一端までの長さを変化させることで施肥ノズル深さを微調節し、該荷重調節部材の進退により該スプリングのスプリング力を変化させることで荷重調節を行うようにしたことを特徴とする水田作業機における施肥ノズルの調節機構。
【請求項２】
前記ロッドは機体の前後方向に延出していると共に、前端側を介して施肥ノズルに連携されており、施肥ノズルの深さ微調節、荷重調節を後方側から行うことを特徴とする請求項１に記載の水田作業機における施肥ノズルの調節機構。
【請求項３】
田面を滑走するフロートと該施肥ノズルとを連携プレートで繋ぐことで、該フロートの上下動と施肥ノズルの上下動とを連携させ、該連携プレートには複数のセット孔が配設されており、所定のセット孔を選択して前記固定部材を係止させることで、施肥ノズルの深さを調節するようにしたことを特徴とする請求項１、２いずれかに記載の水田作業機における施肥ノズルの調節機構。
【発明の詳細な説明】
【０００１】
【発明の属する技術分野】
本発明は水田作業機に装備された施肥装置に係り、詳しくは、施肥装置の施肥ノズルの調節機構に関するものである。
【０００２】
【従来の技術】
水田作業機には、植付作業と同時にペースト状の肥料を施肥する施肥装置が設けられることが多い。施肥装置は、肥料タンクから供給された肥料を土中に注入する施肥ノズルを有しており、施肥ノズルは深さ調節及び荷重調節自在であることが好ましく、従来では、例えば図９に示すように、深さ調節をボルトａで、荷重調節をボルトｂで行っている。
【０００３】
しかしながら、このものだと、深さ微調節機構および荷重調節機構が別個に設けてあるので、その分スペースを取り、また、部品点数が多くなり、構成が複雑になっている。また、図９に示すような調節機構は、フロートの前部側にあり、深さの微調節や荷重を調節する場合には、無理な姿勢で行う必要があった。
【０００４】
【発明が解決しようとする課題】
本発明は、かかる従来技術に鑑みて創案されたものであって、簡単な構成で省スペースであり、かつ操作も容易な施肥ノズルの調節機構を提供することを目的とするものである。
【０００５】
【課題を解決するための手段】
かかる課題を達成するために本発明が採用して技術手段は、ロッドの一端側を施肥ノズルに連繋し、該ロッドは、所定部位に配設された固定部材に対して挿通かつ位置固定自在であり、該ロッドには荷重調節部材が長さ方向に移動かつ固定自在に設けてあり、該固定部材と該荷重調節部材との間にはスプリングが設けてあり、該固定部材からロッド一端までの長さを変化させることで施肥ノズル深さを微調節し、該荷重調節部材の進退により該スプリングのスプリング力を変化させることで荷重調節を行うようにしたことを特徴とするものである。
【０００６】
施肥ノズルの装着部位は限定されず、植付装置側に支持されているものでも、あるいは、フロートに支持されているものであってもよい。要は、ロッドの一端側が施肥ノズルに操作自在に連繋されており、ロッドの進退により施肥ノズルの深さを微調節できるものであればよい。固定部材は、例えば、所定部位に固定されると共にロッドの挿通孔を有する固定ピンであり、固定部材の固定位置を変更することによっても、ノズルの深さ調節を行うことができる。荷重調節部材は、好適にはナットであり、ナットを進退させることでスプリング力を微調節できるようになっている。好適には、ロッドには、固定部材を挟んでスプリングと反対側にナットを設け、該ナットによって該ロッドは固定部材に対して位置固定可能となっている。
【０００７】
好ましくは、該ロッドは機体の前後方向に延出していると共に、前端側を介して施肥ノズルに連携されており、施肥ノズルの深さ微調節、荷重調節を後方側から行うように構成されている。
【０００８】
好ましくは、田面を滑走するフロートと該施肥ノズルとを連携プレートで繋ぐことで、該フロートの上下動と施肥ノズルの上下動とを連携させ、該連携プレートには複数のセット孔が配設されており、所定のセット孔を選択して前記固定部材を係止させることで、施肥ノズルの深さを調節するようにしている。
【０００９】
【発明の実施の形態】
本発明の実施の形態を図面に基づいて説明する。図１は６条植の乗用田植機の全体側面図、図２は乗用田植機後部の拡大側面図であって、走行機体１の後部には作業機としての植付作業機２が連結されている。走行機体１は、前輪３及び後輪４を備えた機体フレーム５と、機体フレーム５の前部に搭載したエンジン６、その後方に配設した運転操作部７および運転座席８とを有している。植付作業機２は、リンク機構９を介して機体後部に昇降自在に連結されており、植付作業機２の下方側には、Ｔ型のメインフロート１０およびサイドフロート１１が設けてある。
【００１０】
機体フレーム５には、側条用肥料タンク１２、深層用肥料タンク１３がそれぞれ設けてあり、それぞれパイプを介して、施肥装置の側条（浅層）施肥ノズル１４、深層用施肥ノズル１５に連結されている。図４において、符号１６は施肥ノズル１４、１５の基端側に設けたジョイント部であり、ジョイント部１６に図示しないパイプを連結することで、肥料を施肥ノズル１４、１５に供給するようになっている。該パイプにはポンプが介装されており、変速装置によって該ポンプを駆動させて、ペースト状の肥料を施肥ノズル１４、１５から土中に注入するようになっており、このような施肥装置の構成は公知である。
【００１１】
図３はセンターフロート１０の側面図、図４はセンターフロート１０の平面図であり、センターフロート１０は平面視Ｔ型状を有し、植付装置２の下方部位に位置して、前後の支持部を介して上下動自在に装着されている。側条施肥ノズル１４はセンターフロート１０の整地部１０ａ（Ｔ型形状の頭部）の後端より後方に向かって延出しており、深層施肥ノズル１５はフロート１０の幅方向中央部位において側条施肥ノズル１４に平行するように後方に向かって延出している。
【００１２】
センターフロート１０の幅方向に延出する植付部フレーム１７にはブラケット１８を介してプランタケース１９が後方に向かって延出して設けてあり、プランタケース１９には正面壁２０ａと側面壁２０ｂとを有する平面視Ｌ形のプレート状の取付座２０が装着されており、取付座２０に深層施肥ノズル１５の回動支軸２１が取り付けられる。側条施肥ノズル１４は、フロートの前後方向中間部位より若干後方側に位置して、幅方向に延出して配設した軸部２２に装着されており、フロート１０の上下動に伴って上下動するようになっている。
【００１３】
深層施肥ノズル１５の深さ微調節機構及び荷重調節機構について説明する。調節機構は、一端側を介して施肥ノズル１５に連携されたロッド２３と、ロッド２３を移動自在に挿通させてなる固定ピン２４と、ロッド２３の他端側に設けた第一ナット２５と、固定ピン２４と第一ナット２５の間に位置させてロッド２３に外装したスプリング２６と、固定ピン２４を挟んでスプリング２６とは反対側に位置させてロッド２３に設けた第二ナット２７からなる。ロッド２３の周面において、第一ナット２５、第二ナット２７が進退する部位においては図示しない雌螺子が刻設されている。
【００１４】
固定ピン２４は、ロッド２３の中間部位にロッド２３の長さ方向に直交して配設すると共に、一端側を後述する深さ切替えプレート２８（実施の形態ではフロートの動きと施肥ノズルとの連繋プレートを兼用する）に設けた所定部位に着脱自在に固定することで移動が規制されている。
【００１５】
ロッド２３の一端側にはボールジョイント２９が設けてあり、ロッド２３の一端側はボールジョイント２９を介して、ノズルの回動支軸２１に連繋された板状のリンク３０に連結されている。ロッド２３と施肥ノズル１５の連繋について図３乃至図５、及び図８に基づいて説明する。施肥ノズル１５の基端は施肥ノズル１５の長さ方向に対して直交して延出する回転支軸２１に固着されており、施肥ノズル１５と回転支軸２１とは一体となって回転する。板状リンク３０は基端側のリング状部を介して回動支軸２１に外嵌されると共に、スプリングピン３１を介して回動支軸２１に連結されており、回動支軸２１の回転に伴って板状リンク３０も回転するようになっている。
【００１６】
第二ナット２７をロッド２３上で進退させることで、ボールジョイント２９（ロッド２３の一端側）から固定ピン２４までの距離を変化させ、それによって、板状リンク３０が回動して、ノズルの回動支軸２１を回動させて施肥ノズル１５の深さを調節する。
【００１７】
また、固定ピン２４と回転支軸２１とは長尺状の連繋部材によって連繋されている。連繋部材は、板状のスプリングプレート３２ａと、側面視ヘ字状の板状片３２ｂとからなり、板状片３２ｂの基端側はリング状部を介して、回転支軸２１に対して回転自在に外嵌されており、先端側はスプリングプレート３２ａの基端側に固着されている。スプリングプレート３２ａの先端側には係止孔が形成されており、固定ピン２４の端部を受け入れることで、固定ピン２４に連結されている。
【００１８】
施肥作業中に、施肥ノズル１５の先端に負荷がかかると（圃場にある石等に乗り上げたような場合）、施肥ノズル１５は回動支軸２１を中心に上方に回動して逃げるが、この時、板状リンク片３０が回動し、ボールジョイント２９を介してロッド２３は引っ張られ、圧縮スプリング２６は、固定ピン２４とナット２５との間で反力を生じる。一方、固定ピン２４は、回動支軸２１に対して回転自在に連結された連繋部材によって回転支軸２１と連繋されているので、回動支軸２１の回転の影響を受けない。第一ナット２５によってスプリング２６を所定長に設定し、スプリング２６の荷重を調節することで、ノズルの逃げの荷重を調節する。
【００１９】
調節機構を構成するロッド２３は機体の前後方向に延出しており、深さ及び荷重を調整するナット２５、２７はいずれもロッド２３の後方側に設けてあるので、楽な姿勢で調整作業を行うことができる。また、ナット２５、２７をロッド２３上を螺進、螺退させることで調節を行うので、微調節が可能である。
【００２０】
次に、固定ピン２４の固定位置を変化させることによるノズルの深さ調節機構について説明する。深さ切替えプレート２８には深さ切替え用の複数のセット孔３３が設けてあり、ロッド２３を挿通支持させた固定ピン２４を、固定ピン２４の他端側に設けたスプリングプレート３２ａを介して、所望のセット孔３３を選択して着脱自在に装着することでノズル深さを調節する。スプリングプレート３２ａの先端にはプレート面部に直交するように固定ピン２４が連結されており、スプリングプレート３２ａを基端側を介してプレート２８から離間するように湾曲させることで、固定ピン２４端部と深さ切替えプレート２８に形成した係止用のセット孔３３との脱着を行うことができる。スプリングプレート３２ａの基端側は回転支軸２１に対して回動自在に連結された板状片３２ｂに固定されているので、深さ切替え時には、固定ピン２４は回動支軸２１を中心として上下方向に回転することができる。このように、固定ピン２４が回動支軸２１を中心に上下動し、スプリングプレート３２ａによってプレート２８に係止されるので、固定ピン２４の着脱作業を良好に行うことができる。もっとも、固定ピン２４を回動させる連繋部材の回動支点は回動支軸２１に限定されるものではない。
【００２１】
実施の形態のものでは、深さ切替えプレート２８には斜め上下方向に三つのセット孔３３が設けてあり、収納姿勢を除き、三段階の切替え調節が可能である。深さ切替えプレート２８は上下方向に幅広であり、そこに深さを切り換えて調節するセット孔３３を上下方向に複数設けたので、深さ切替えの調節範囲を大きく取ることができ、深さ切替えプレート２８の強度が十分となり、省スペース化が図れる。
【００２２】
サイドフロート１１側の施肥ノズル１５の調節機構は、センターフロート１０側の施肥ノズル１５の調節機構と同じであり、説明は省略する。尚、図５において、同一の部材には同一の符号を附してある。
【００２３】
次に、フロート１０、１１の上下動を、機体側に支持されたノズル１５に連繋させる構成について説明する。これは、フロート１０、１１と施肥ノズル１５を連繋させることで、フロートに対するノズル１５の深さを一定に保つためである。フロート１０、１１の後方側の支点はリンク片３４を介して植付深さ調節レバー３５に連繋されており、植付深さ調節レバー３５の操作によってフロート１０、１１は上下動する。ここで、深さ切替え板２８はフロート１０、１１の上下動と施肥ノズル１５の上下動とを連動させる連携プレートの機能を有する。
【００２４】
連繋プレート２８は機体前後方向に延出する板材であり、前方側は幅細部となっており、前方側を基端として回動支軸２１に回転自在に装着されている。連繋プレート２８の中央部位から後方側は幅広部となっており、後端には上下方向に所定間隔を存して二つの連繋孔３６が上下に並設されている。連繋孔３６は後方に若干傾斜する上下方向に延出する長孔である。
【００２５】
フロート１０、１１の上面には水平部３７ａと立上り部３７ｂとから側面視Ｌ形状の取付板材３７が対向状に設けてあり、取付板材３７の立上り部３７ｂ間には、支軸３８ａ、３８ｂが上下方向に所定間隔を存して設けてあり、支軸３８ａ、３８ｂは連繋孔３６を挿通している。下方の支軸３８ｂはフロート１０、１１の回動支点を構成しており、リンク片３４の一端側が連結されている。尚、取付板材３７はフロート上下調節のリンク機構の一部を構成しており、上方の支軸３８ａには図示しない他のリンク片が連結されている。
【００２６】
フロート１０、１１の上下動と施肥ノズル１５の上下動との連繋の動きを図７に示した実線の位置から二点鎖線の位置への変更を例にして説明する。植付深さレバー３５を後方側へ回動すると、リンク片３４が下方に回動して、支軸３８ｂを介して取付部材３７及びフロート１０、１１が下方に移動する。取付部材３７の下方への移動に伴って支軸３８ａ、３８ｂも下方へ移動するが、この時、支軸３８ａ、３８ｂはそれぞれ長孔状の連繋孔３６に倣って下方に移動するので（３８０ａ、３８０ｂの位置）、連繋プレート２８を強制的に下方に回動させる。連繋プレート２８の下方への回動に伴って、固定ピン２４を介して連繋プレートに連結されているロッド２３が下方に移動し、板状リンク片３０を介して施肥ノズル１５を前方側（１５０の位置）へ回動させる。このようにして、施肥ノズル１５の先端は植付深さの変位量に近似した深さ量移動する。
【００２７】
【発明の効果】
請求項１に記載したものでは、一本のロッド上で一連の操作で施肥ノズルの深さ微調節及びノズルの逃げの荷重調節を行うことができ、構成が簡略化されると共に、省スペース化が図られる。所定長を有するロッドを用いて調節を行うので、省スペースにもかかわらず、調節範囲を広く確保することができる。請求項２に記載したものでは、機体後方へ延出したロッド部位において、施肥ノズルの調節を行うことができるので、従来に比して、楽な姿勢で容易に作業を行うことができる。請求項３に記載したものでは、フロートの上下動と施肥ノズルの上下動を連携させる連携プレートを用いて施肥ノズルの深さ調節を行うので、省スペース化が図られる。
【図面の簡単な説明】
【図１】水田作業機の全体側面図である。
【図２】水田作業機の後部側面図である。
【図３】 センターフロートの側面図である。
【図４】センターフロートの平面図である。
【図５】サイドフロートの側面図である。
【図６】（ａ）は施肥ノズルの調節機構の概略図である。
（ｂ）は図６（ａ）におけるロッドを示す図である。
【図７】フロートと施肥ノズルの連繋を示す図である。
【図８】ノズルの調節機構と施肥ノズルとの連結部を示す概略斜視図である。
【図９】従来の施肥ノズルの調節機構を示す図である。
【符号の説明】
１５ 深層施肥ノズル
２３ ロッド
２４ 固定ピン
２５ 第一ナット
２６ スプリング
２７ 第二ナット
【図１】
0003875424.tif 000002
【図２】
0003875424.tif 000003
【図３】
0003875424.tif 000004
【図４】
0003875424.tif 000005
【図５】
0003875424.tif 000006
【図６】
0003875424.tif 000007
【図７】
0003875424.tif 000008
【図８】
0003875424.tif 000009
【図９】
0003875424.tif 000010